(57)【要約】【課題】同一の入力荷重であっても基部の向きを変えるようにブラシを回転させて使用することにより身体表面に異なる研磨力を作用させることが可能な構成を備えた身体洗浄用ブラシを得る。【解決手段】身体洗浄用ブラシ１は、基部１０と複数の毛部２０とを備え、複数の毛部２０の各々は、基部１０から起立するように設けられた軸部２１と、軸部２１の先端部側に設けられた研磨部２２とを含む。軸部２１の軸方向に対して直交する面方向における軸部２１の断面形状は、楕円形状、長円形状もしくは長方形状であるか、または、長方形部と当該長方形部の長手方向における少なくとも一方端部に連設された円形状部もしくは多角形状部とを含む形状であり、複数の軸部２１の各々は、断面形状における長手方向が同一の方向を指向して延びるように配置されている。【選択図】図１
2020039421.tif 000002
【特許請求の範囲】
【請求項１】
基部と、前記基部上に設けられた複数の毛部とを備え、
複数の前記毛部の各々は、
可撓性を有し、前記基部の表面から起立するように設けられた軸部と、
前記軸部の先端部側に設けられた研磨部と、を含み、
前記軸部の軸方向に対して直交する面方向における前記軸部の断面形状は、楕円形状、長円形状もしくは長方形状であるか、または、長方形部と当該長方形部の長手方向における少なくとも一方端部に連設された円形状部もしくは多角形状部とを含む形状であり、
複数の前記軸部の各々は、前記断面形状における長手方向が同一の方向を指向して延びるように配置されている、
身体洗浄用ブラシ。
【請求項２】
基部と、前記基部上に設けられた複数の毛部とを備え、
複数の前記毛部の各々は、
可撓性を有し、前記基部の表面から起立するように設けられた軸部と、
前記軸部の先端部側に設けられた研磨部と、を含み、
複数のうちの１つの前記軸部の軸方向に対して直交する方向を第１基準方向と規定し、前記軸方向および前記第１基準方向の双方に対して直交する方向を第２基準方向とを規定したとすると、
複数の前記軸部の各々は、前記軸方向における少なくとも根元側の３分の１の領域の範囲内に、前記第１基準方向に平行な第１中立軸の周りに規定される第１断面係数と、前記第２基準方向に平行な第２中立軸の周りに規定される第２断面係数とが、互いに異なるような部分が設けられている、
身体洗浄用ブラシ。
【請求項３】
複数の前記軸部の各々は、前記軸部の外形形状が、前記軸部の軸線の周りで９０°の回転非対称になり且つ前記軸部の軸線の周りで１８０°の回転対称になる形状を有している、
請求項２に記載の身体洗浄用ブラシ。
【請求項４】
前記基部の外形形状は、８角形である、
請求項１から３のいずれか１項に記載の身体洗浄用ブラシ。
【発明の詳細な説明】
【技術分野】
【０００１】
本発明は、身体洗浄用ブラシに関する。
【背景技術】
【０００２】
特開２０１２−２１７５４４号公報（特許文献１）には身体洗浄用ブラシに関する発明が開示されている。この身体洗浄用ブラシは、基部と、可撓性を有しこの基部に多数立設された毛部とを備えており、毛部の先端部には研磨性を有する研磨部が設けられている。
【先行技術文献】
【特許文献】
【０００３】
【特許文献１】特開２０１２−２１７５４４号公報
【発明の概要】
【発明が解決しようとする課題】
【０００４】
特開２０１２−２１７５４４号公報（特許文献１）に開示された複数の毛部の各々は、軸方向に対して直交する面方向の断面形状が軸方向の全域に亘って正円形または正多角形などとなるように形成されている。第１方向に毛部が撓むために必要な力と、第１方向に対して直交する方向である第２方向に毛部が撓むために必要な力とは同一である。
【０００５】
たとえば足の裏面を第１方向に沿って往復移動させて複数の毛部に対して足の裏面を所定圧で摺接させた場合であっても、足の裏面を第２方向（第１方向に直交する方向）に沿って往復移動させて複数の毛部に対して足の裏面を所定圧で摺接させた場合であっても、足の裏面が複数の毛部から受ける力（洗浄力あるいは研磨力）は同じになる。すなわち、従来の身体洗浄用ブラシにおいては、同一の入力荷重の場合には基部の向きを変えるようにブラシを回転させて使用したとしても身体表面に対して同一の研磨力が作用するのみであった。
【０００６】
したがってたとえば製造業者としては、研磨力の強い研磨部を毛部の先端に設けていわゆるハードタイプのブラシとして構成したり、ハードタイプのブラシとは別に、研磨力の弱い研磨部を毛部の先端に設けていわゆるソフトタイプのブラシとして構成したりする必要があり、在庫管理などの点で改善の余地が存在していた。ユーザーにとっても、異なる研磨力が欲しい場合にはハードタイプおよびソフトタイプの両方を購入する必要があり、経済性といった点においても従来の身体洗浄用ブラシには改善の余地が存在していた。
【０００７】
本発明は、上述のような実情に鑑みて創作されたものであって、同一の入力荷重であっても基部の向きを変えるようにブラシを回転させて使用することにより身体表面に異なる研磨力を作用させることが可能な構成を備えた身体洗浄用ブラシを提供することを目的とする。
【課題を解決するための手段】
【０００８】
本発明の或る局面に基づく身体洗浄用ブラシは、基部と、上記基部上に設けられた複数の毛部とを備え、複数の上記毛部の各々は、可撓性を有し、上記基部の表面から起立するように設けられた軸部と、上記軸部の先端部側に設けられた研磨部と、を含み、上記軸部の軸方向に対して直交する面方向における上記軸部の断面形状は、楕円形状、長円形状もしくは長方形状であるか、または、長方形部と当該長方形部の長手方向における少なくとも一方端部に連設された円形状部もしくは多角形状部とを含む形状であり、複数の上記軸部の各々は、上記断面形状における長手方向が同一の方向を指向して延びるように配置されている。
【０００９】
本発明の他の局面に基づく身体洗浄用ブラシは、基部と、上記基部上に設けられた複数の毛部とを備え、複数の上記毛部の各々は、可撓性を有し、上記基部の表面から起立するように設けられた軸部と、上記軸部の先端部側に設けられた研磨部と、を含み、複数のうちの１つの上記軸部の軸方向に対して直交する方向を第１基準方向と規定し、上記軸方向および上記第１基準方向の双方に対して直交する方向を第２基準方向とを規定したとすると、複数の上記軸部の各々は、上記軸方向における少なくとも根元側の３分の１の領域の範囲内に、上記第１基準方向に平行な第１中立軸の周りに規定される第１断面係数と、上記第２基準方向に平行な第２中立軸の周りに規定される第２断面係数とが、互いに異なるような部分が設けられている。
【００１０】
上記身体洗浄用ブラシにおいて好ましくは、複数の上記軸部の各々は、上記軸部の外形形状が、上記軸部の軸線の周りで９０°の回転非対称になり且つ上記軸部の軸線の周りで１８０°の回転対称になる形状を有している。
【００１１】
上記身体洗浄用ブラシにおいて好ましくは、上記基部の外形形状は、８角形である。
【発明の効果】
【００１２】
上記構成を備えた身体洗浄用ブラシによれば、同一の入力荷重であっても基部の向きを変えるようにブラシを回転させて使用することにより身体表面に異なる研磨力を作用させることが可能となる。
【図面の簡単な説明】
【００１３】
【図１】実施の形態１における身体洗浄用ブラシ１の表面（表面１１ａ）側の外観構成を示す斜視図である。
【図２】実施の形態１における身体洗浄用ブラシ１の表面（表面１１ａ）側の外観構成を示す平面図である。
【図３】実施の形態１における身体洗浄用ブラシ１の裏面（裏面１１ｂ）側の外観構成を示す斜視図である。
【図４】実施の形態１における身体洗浄用ブラシ１の裏面（裏面１１ｂ）側の外観構成を示す平面図である。
【図５】実施の形態１における身体洗浄用ブラシ１を示す側面図である。
【図６】実施の形態１における身体洗浄用ブラシ１に備えられる毛部２０を示す斜視図である。
【図７】図６中のＶＩＩ−ＶＩＩ線に沿った矢視断面図である。
【図８】実施の形態１における身体洗浄用ブラシ１の毛部２０に備えられる軸部２１を示す斜視図である。
【図９】実施の形態１における身体洗浄用ブラシ１の毛部２０に備えられる軸部２１を示す正面図である。
【図１０】実施の形態１における身体洗浄用ブラシ１の毛部２０に備えられる軸部２１を示す側面図である。
【図１１】実施の形態１における身体洗浄用ブラシ１の毛部２０に備えられる軸部２１を示す平面図である。
【図１２】図１１中のＸＩＩ−ＸＩＩ線に沿った矢視断面図である。
【図１３】図９中のＸＩＩＩ−ＸＩＩＩ線に沿った矢視断面図である。
【図１４】実施の形態２の身体洗浄用ブラシ（毛部２０Ａ）に備えられる軸部２１を示す斜視図である。
【図１５】実施の形態２の身体洗浄用ブラシ（毛部２０Ａ）に備えられる軸部２１を示す正面図である。
【図１６】実施の形態２の身体洗浄用ブラシ（毛部２０Ａ）に備えられる軸部２１を示す側面図である。
【図１７】実施の形態２の身体洗浄用ブラシ（毛部２０Ａ）に備えられる軸部２１を示す平面図である。
【図１８】図１７中のＸＶＩＩＩ−ＸＶＩＩＩ線に沿った矢視断面図である。
【図１９】図１５中のＸＩＸ−ＸＩＸ線に沿った矢視断面図である。
【図２０】実施の形態３の身体洗浄用ブラシ（毛部２０Ｂ）に備えられる軸部２１を示す斜視図である。
【図２１】実施の形態３の身体洗浄用ブラシ（毛部２０Ｂ）に備えられる軸部２１を示す正面図である。
【図２２】実施の形態３の身体洗浄用ブラシ（毛部２０Ｂ）に備えられる軸部２１を示す側面図である。
【図２３】実施の形態３の身体洗浄用ブラシ（毛部２０Ｂ）に備えられる軸部２１を示す平面図である。
【図２４】図２３中のＸＸＩＶ−ＸＸＩＶ線に沿った矢視断面図である。
【図２５】図２１中のＸＸＶ−ＸＸＶ線に沿った矢視断面図である。
【図２６】実施の形態４の身体洗浄用ブラシ（毛部２０Ｃ）に備えられる軸部２１を示す斜視図である。
【図２７】実施の形態４の身体洗浄用ブラシ（毛部２０Ｃ）に備えられる軸部２１を示す正面図である。
【図２８】実施の形態４の身体洗浄用ブラシ（毛部２０Ｃ）に備えられる軸部２１を示す側面図である。
【図２９】実施の形態４の身体洗浄用ブラシ（毛部２０Ｃ）に備えられる軸部２１を示す平面図である。
【図３０】図２９中のＸＸＸ−ＸＸＸ線に沿った矢視断面図である。
【図３１】図２７中のＸＸＸＩ−ＸＸＸＩ線に沿った矢視断面図である。
【図３２】実施の形態５の身体洗浄用ブラシに備えられる毛部２０Ｄを示す断面図である。
【図３３】実施の形態５の身体洗浄用ブラシ（毛部２０Ｄ）に備えられる軸部２１を示す斜視図である。
【図３４】実施の形態５の身体洗浄用ブラシ（毛部２０Ｄ）に備えられる軸部２１を示す正面図である。
【図３５】実施の形態５の身体洗浄用ブラシ（毛部２０Ｄ）に備えられる軸部２１を示す側面図である。
【図３６】実施の形態５の身体洗浄用ブラシ（毛部２０Ｄ）に備えられる軸部２１を示す平面図である。
【図３７】実施の形態６の身体洗浄用ブラシ（毛部２０Ｅ）に備えられる軸部２１を示す斜視図である。
【図３８】実施の形態６の身体洗浄用ブラシ（毛部２０Ｅ）に備えられる軸部２１を示す正面図である。
【図３９】実施の形態６の身体洗浄用ブラシ（毛部２０Ｅ）に備えられる軸部２１を示す側面図である。
【図４０】実施の形態６の身体洗浄用ブラシ（毛部２０Ｅ）に備えられる軸部２１を示す平面図である。
【図４１】図４０中のＸＬＩ−ＸＬＩ線に沿った矢視断面図である。
【図４２】実施の形態７の身体洗浄用ブラシ（毛部２０Ｆ）に備えられる軸部２１を示す斜視図である。
【図４３】実施の形態７の身体洗浄用ブラシ（毛部２０Ｆ）に備えられる軸部２１を示す正面図である。
【図４４】実施の形態７の身体洗浄用ブラシ（毛部２０Ｆ）に備えられる軸部２１を示す側面図である。
【図４５】実施の形態７の身体洗浄用ブラシ（毛部２０Ｆ）に備えられる軸部２１を示す平面図である。
【図４６】実施の形態８の身体洗浄用ブラシ（毛部２０Ｇ）に備えられる軸部２１を示す斜視図である。
【図４７】実施の形態８の身体洗浄用ブラシ（毛部２０Ｇ）に備えられる軸部２１を示す正面図である。
【図４８】実施の形態８の身体洗浄用ブラシ（毛部２０Ｇ）に備えられる軸部２１を示す側面図である。
【図４９】実施の形態８の身体洗浄用ブラシ（毛部２０Ｇ）に備えられる軸部２１を示す平面図である。
【図５０】実施の形態９の身体洗浄用ブラシ（毛部２０Ｈ）に備えられる軸部２１を示す斜視図である。
【図５１】実施の形態９の身体洗浄用ブラシ（毛部２０Ｈ）に備えられる軸部２１を示す正面図である。
【図５２】実施の形態９の身体洗浄用ブラシ（毛部２０Ｈ）に備えられる軸部２１を示す側面図である。
【図５３】実施の形態９の身体洗浄用ブラシ（毛部２０Ｈ）に備えられる軸部２１を示す平面図である。
【図５４】図５３中のＬＩＶ−ＬＩＶ線に沿った矢視断面図である。
【図５５】図５３中のＬＶ−ＬＶ線に沿った矢視断面図である。
【発明を実施するための形態】
【００１４】
実施の形態について、以下、図面を参照しながら説明する。同一の部品および相当部品には同一の参照番号を付し、重複する説明は繰り返さない場合がある。
【００１５】
［実施の形態１］
（身体洗浄用ブラシ１）
図１〜図１３を参照して、実施の形態１における身体洗浄用ブラシ１について説明する。図１および図２はそれぞれ、身体洗浄用ブラシ１の表面（表面１１ａ）側の外観構成を示す斜視図および平面図である。図３および図４はそれぞれ、身体洗浄用ブラシ１の裏面（裏面１１ｂ）側の外観構成を示す斜視図および平面図である。図５は、身体洗浄用ブラシ１を示す側面図である。
【００１６】
図示上の便宜のため、図１〜図５中の毛部２０に関しては、毛部２０の構成要素の１つである軸部２１（図６，図７等参照）のみを図示しており、毛部２０の構成要素の他の１つである研磨部２２（図６，図７等参照）については図示していない。毛部２０の詳細構成については図６〜図１３を参照して後述する。
【００１７】
身体洗浄用ブラシ１は、人や動物の身体（たとえば足の裏面）を洗浄するために用いられる。使用者はたとえば、身体洗浄用ブラシ１を床面上に載置し、その後、洗浄剤を身体洗浄用ブラシ１（基部１０）の上に供給する。複数の毛部２０を身体（足の裏面など）に接触させながら移動させることで、身体の表面上に付着している汚れなどを除去することができる。
【００１８】
図１〜図５に示すように、具体的には、身体洗浄用ブラシ１は、基部１０と複数の毛部２０とを備える。基部１０は、平板部１１、外周リブ１２、中間リブ１３（図１，図２）、中間リブ１４（図３，図４）、および、複数の吸盤１５（図３，図４）を有する。平板部１１は表面１１ａと裏面１１ｂとを有し、外周リブ１２は平板部１１の外縁を環状に取り囲んでいる。
【００１９】
外周リブ１２は、平板部１１に対して表面１１ａ側に突出して平板部１１の表面１１ａの周囲に環状の外周壁を形成するとともに、平板部１１に対して裏面１１ｂ側に突出して平板部１１の裏面１１ｂの周囲に環状の外周壁を形成している。平板部１１の表面１１ａと、表面１１ａの周囲に外周壁として形成された外周リブ１２とは、平板部１１の表面１１ａ上に供給された洗浄液等を保持することを助けることができる。
【００２０】
本実施の形態の外周リブ１２は、辺１２ａ，１２ｂ，１２ｃ，１２ｄ，１２ｅ，１２ｆ，１２ｇ，１２ｈを含み、これらの辺はこの記載順に並んで形成され、全体として８角形の形状を呈している。すなわち、本実施の形態の基部１０の外形形状は８角形である。辺１２ａ，１２ｅが平行であり、辺１２ｂ，１２ｆが平行であり、辺１２ｃ，１２ｇが平行であり、辺１２ｄ，１２ｈが平行である。
【００２１】
図１〜図１３には、矢印Ｚ，Ａ１，Ａ２を説明の便宜上のために示している。矢印Ｚは平板部１１の表面１１ａに対して直交する方向を示している。矢印Ａ１は、矢印Ｚに対して直交する方向であり、ここでは辺１２ａ，１２ｅに対して平行な方向を示している。矢印Ａ２は、矢印Ｚおよび矢印Ａ１の双方に対して直交する方向であり、ここでは辺１２ｃ，１２ｇに対して平行な方向を示している。これらについては後述する図１４〜図５５においても同様である。
【００２２】
中間リブ１３（図１，図２）は、平板部１１の表面１１ａ上に設けられ、辺１２ｂと辺１２ｈとを接続するように延びている。中間リブ１３と、辺１２ｂの一部と、辺１２ｃ，１２ｄ，１２ｅ，１２ｆ，１２ｇと、辺１２ｈの一部とは、全体として略正８角形の形状を呈している。
【００２３】
中間リブ１４（図３，図４）は、平板部１１の裏面１１ｂ上に設けられ、辺１２ｂと辺１２ｈとを接続するように延びている。中間リブ１４と、辺１２ｂの一部と、辺１２ｃ，１２ｄ，１２ｅ，１２ｆ，１２ｇと、辺１２ｈの一部とは、全体として略正８角形の形状を呈している。
【００２４】
平板部１１には開口部１６が設けられている。開口部１６は、平板部１１のうちの中間リブ１３，１４と辺１２ａとの間に位置する部分を貫通するように形成されている。開口部１６にフック等を通すことにより、身体洗浄用ブラシ１を吊るして干しておくことができる。複数の吸盤１５は、平板部１１の裏面１１ｂ上に設けられている。複数の吸盤１５を利用して身体洗浄用ブラシ１の全体を浴室の壁面等に貼り付けて干しておくことができる。
【００２５】
（複数の毛部２０）
図６〜図１３を参照して、身体洗浄用ブラシ１に設けられた複数の毛部２０について説明する。複数の毛部２０の各々は略同一の構成を有しているため、ここでは図６〜図１３に示す１つの毛部２０に基づいてその説明を行なう。
【００２６】
図６は、毛部２０を示す斜視図であり、図７は、図６中のＶＩＩ−ＶＩＩ線に沿った矢視断面図である。図８〜図１１はそれぞれ、毛部２０に備えられる軸部２１を示す斜視図、正面図、側面図および平面図である。図１２は、図１１中のＸＩＩ−ＸＩＩ線に沿った矢視断面図であり、図１３は、図９中のＸＩＩＩ−ＸＩＩＩ線に沿った矢視断面図である。
【００２７】
図６および図７に示すように、毛部２０は、軸部２１と研磨部２２とを含む。軸部２１は、可撓性を有し、基部１０（平板部１１）の表面１１ａから起立するように設けられている。軸部２１は略平板形状を有しており、軸部２１の軸線Ｇ（中心軸）は根元部２１ｂから先端部２１ａに向けて直線状に延びている。ここでは、軸線Ｇは矢印Ｚに示す方向（すなわち平板部１１の表面１１ａに対して直交する方向）と平行である。
【００２８】
軸部２１の軸線Ｇが延びる方向（軸方向ともいう）における根元部２１ｂが平板部１１に接続しており、軸部２１は根元部２１ｂの位置で平板部１１に対して立設されている。軸部２１は、樹脂成形によって基部１０（平板部１１）と一体的に形成されている。基部１０と軸部２１とは、たとえば可撓性（或いは弾力性）を有する素材であって、合成樹脂からなる樹脂成形体（たとえば、ポリ塩化ビニル樹脂、塩化ビニル樹脂、スチレン系エラストマー樹脂など）から一体的に成形される。
【００２９】
軸部２１の軸方向における長さはたとえば２０ｍｍ以上４０ｍｍ以下であり、軸部２１を構成している樹脂の硬度はたとえば３０度〜４０度（ＪＩＳ−Ｋ６２５３のデュロメータータイプＡ（ショアＡ）硬度）である。図１〜図５に示すように、身体洗浄用ブラシ１においては、複数の毛部２０（軸部２１）が平板部１１の表面１１ａの略全体に亘って互いに離間して立設されている。
【００３０】
研磨部２２は、軸部２１の先端部２１ａ側に設けられる。研磨部２２は、軸部２１の先端部２１ａ側の部分を少なくとも覆うように設けられていればよく、軸部２１の全体を覆うように設けられていてもよい。研磨部２２には、研磨性を有する粒子が含まれている。研磨粒子としては、たとえば、炭化ケイ素、トルマリン、アルミナ、およびガラスのうちのいずれか１つ或いは複数を利用することができる。研磨粒子の粒径は、たとえば１μｍ〜１００μｍである。
【００３１】
以上のような構成を有する身体洗浄用ブラシ１を製造するためには、たとえば、インジェクション成形（射出成型）を利用できる。所定の金型に、注入口を介して溶融樹脂（合成樹脂）を注入して充填する。溶融樹脂が硬化することによって、平板部１１および複数の軸部２１などを含む母材が準備される。その後、この母材を、複数の軸部２１側が下向きとなるように、ウレタン系やアクリル系の液状の接着剤（研磨部２２）の中に浸漬させ、複数の軸部２１の各々の先端部２１ａに研磨粒子を含有した接着剤が付着して乾燥することで身体洗浄用ブラシ１が得られる。
【００３２】
（軸部２１の詳細構成）
本実施の形態の軸部２１は、軸方向に対して直交する面方向の断面形状が根元部２１ｂ側から先端部２１ａ側に向けて徐々に小さくなるような先細り形状（テーパー形状）を有している（図８〜図１０参照）。
【００３３】
図１１〜図１３（特に図１３）に示すように、軸部２１の軸方向（軸線Ｇが延びる方向）に対して直交する面方向における軸部２１の断面形状は、長円形状である。ここで言う長円形状とは、矢印Ａ１方向に短手方向を規定し且つ矢印Ａ２方向に長手方向を規定する１つの長方形を基本とし、この１つの長方形の長手方向（矢印Ａ２方向）における両端にそれぞれ半割の正円形または半割の楕円形を結合した形状を言う。軸部２１の上記断面形状は全体として矢印Ａ２方向に長尺状に延びている。
【００３４】
図１〜図５（特に図２）に示すように、身体洗浄用ブラシ１においては複数の軸部２１の各々が、長円形状を有する上記断面形状における長手方向が同一の方向（ここでは矢印Ａ２に示す方向）を指向して延びるように配置されている。本実施の形態においては、複数の軸部２１の各々が、軸方向に対して直交する面方向の断面形状が軸方向の全域に亘って長円形状となるように形成されている。
【００３５】
矢印Ａ１方向（第１方向）に毛部２０が撓むために必要な力と、矢印Ａ２方向（第１方向に対して直交する方向である第２方向）に毛部２０が撓むために必要な力とは、互いに異なっており、具体的には、毛部２０は矢印Ａ１方向には比較的撓みやすく、毛部２０は矢印Ａ２方向には比較的撓みにくい。
【００３６】
言い換えれば（図１３参照）、複数のうちの１つの軸部２１の軸方向に対して直交する方向を第１基準方向（矢印Ａ１方向）と規定し、軸方向および第１基準方向（矢印Ａ１方向）の双方に対して直交する方向を第２基準方向（矢印Ａ２方向）とを規定したとすると、複数の軸部２１の各々は軸方向の全域に亘って、第１基準方向に平行な第１中立軸Ｇ１の周りに規定される第１断面係数と、第２基準方向に平行な第２中立軸Ｇ２の周りに規定される第２断面係数とが、互いに異なるように形成されており、具体的には第１断面係数が第２断面係数よりも大きい。
【００３７】
（作用および効果）
冒頭で述べたように、従来の身体洗浄用ブラシにおいては、第１方向に毛部が撓むために必要な力と、第１方向に対して直交する方向である第２方向に毛部が撓むために必要な力とは同一であった。これに対して本実施の形態の身体洗浄用ブラシ１においては、矢印Ａ１方向（第１方向）に毛部２０が撓むために必要な力と、矢印Ａ２方向（第１方向に対して直交する方向である第２方向）に毛部２０が撓むために必要な力とは、互いに異なっており、具体的には、毛部２０は矢印Ａ１方向には比較的撓みやすく、毛部２０は矢印Ａ２方向には比較的撓みにくい。
【００３８】
たとえば、身体洗浄用ブラシ１の使用初期の段階では、足のかかとなどに多くの角質が形成されており、足の裏面を第２方向（矢印Ａ２方向）に沿って往復移動させて複数の毛部２０（軸部２１および研磨部２２）に対して足の裏面を所定圧で摺接させる。この場合は、身体洗浄用ブラシ１を浴室の床面上に載置した状態で、たとえば基部１０の辺１２ｅを手前側に配置し、辺１２ａを向こう側に配置し、辺１２ｃを右手側に配置し、辺１２ｇを左手側に配置する。この状態で、足の裏面を第２方向（矢印Ａ２方向）に沿って往復移動させて、すなわち足の裏面が辺１２ａ側と辺１２ｅ側との間を行き来するような形式で、複数の毛部２０に対して足の裏面を所定圧で摺接させるとよい。複数の吸盤１５（図３，図４）が床面に吸着していると当該作業を容易に行なうことが可能である。
【００３９】
日々の使用を経て角質が徐々に減ってきた後は、足の裏面を第１方向（矢印Ａ１方向）に沿って往復移動させて複数の毛部２０（軸部２１および研磨部２２）に対して足の裏面を所定圧で摺接させる。この場合は、身体洗浄用ブラシ１を浴室の床面上に載置した状態で、たとえば基部１０の辺１２ｃを手前側に配置し、辺１２ｇを向こう側に配置し、辺１２ａを右手側に配置し、辺１２ｅを左手側に配置する。この状態で、足の裏面を第１方向（矢印Ａ１方向）に沿って往復移動させて、すなわち足の裏面が辺１２ｃ側と辺１２ｇ側との間を行き来するような形式で、複数の毛部２０に対して足の裏面を所定圧で摺接させるとよい。足の裏面を第２方向（矢印Ａ２方向）に沿って往復移動させる場合に比べて当該使用態様によればソフトな洗浄効果（研磨効果）を得ることが可能である。
【００４０】
身体洗浄用ブラシ１によればさらに上記ハードと上記ソフトとの間の中間的な洗浄効果（研磨効果）を得ることも可能である。身体洗浄用ブラシ１を浴室の床面上に載置した状態で、基部１０の辺１２ｄを手前側に配置し、辺１２ｈを向こう側に配置し、辺１２ｂを右手側に配置し、辺１２ｆを左手側に配置する。この状態で、足の裏面が辺１２ｄ側と辺１２ｈ側との間を行き来するような形式で、複数の毛部２０に対して足の裏面を所定圧で摺接させるとよい。当該使用態様によれば、上記ハードと上記ソフトとの間の中間的な洗浄効果（研磨効果）を得ることができる。
【００４１】
身体洗浄用ブラシ１によれば、基部１０の外形形状が８角形であるという視覚的作用により、以上のようなソフト、ハードおよび中間の認識、選択および使用を、ユーザーが即座かつ容易に実施することが可能となっている。
【００４２】
（実施の形態１に関する他の構成１）
実施の形態１においては、複数の軸部２１の各々が、軸方向に対して直交する面方向の断面形状が軸方向の全域に亘って長円形状となるように形成されている。このような構成に限られず、次のような構成が実施の形態１に変形例として採用されてもよい。すなわち、軸部２１はいわゆる片持ち梁状の形状を有しており、軸部２１が撓み変形する際に生じる弾性復元力は、軸部２１の先端部側の断面係数に比べて軸部２１の根元部側の断面係数が支配的となる。
【００４３】
したがって（図９および図１３参照）、複数の軸部２１の各々は、軸方向における少なくとも根元側の３分の１の領域の範囲内に、第１基準方向（矢印Ａ１方向）に平行な第１中立軸Ｇ１（図１３）の周りに規定される第１断面係数と、第２基準方向（矢印Ａ２方向）に平行な第２中立軸Ｇ２（図１３）の周りに規定される第２断面係数とが、互いに異なるような部分が設けられるように構成されてもよい。
【００４４】
すなわち、軸部２１の軸方向における表面１１ａからの高さをＨ（図９）とすると、高さが０よりも大きくＨ／３以下となる領域内の少なくとも一部に、第１断面係数と第２断面係数とが互いに異なる部分が設けられる。このような構成であっても、たとえば第１断面係数が第２断面係数よりも大きい場合には、毛部２０は矢印Ａ１方向には比較的撓みやすく、毛部２０は矢印Ａ２方向には比較的撓みにくくなり、同一の入力荷重であっても基部１０の向きを変えるように身体洗浄用ブラシを回転させて使用することにより身体表面に異なる研磨力を作用させることが可能となる。
【００４５】
（実施の形態１に関する他の構成２）
実施の形態１においては、複数の軸部２１の各々は、軸部２１の外形形状が、軸部２１の軸線Ｇの周りで９０°の回転非対称になり、且つ、軸部２１の軸線Ｇの周りで１８０°の回転対称になる形状を有している。ここで言う回転対称とは、軸線Ｇの周りに軸部２１の一部分を回転させたとき、２π／ｎラジアン（ｎは正の整数）の回転角度で同じ図形が繰り返される性質を意味する。
【００４６】
図１１，図１３等に示すように、実施の形態１の軸部２１は、軸線Ｇよりも長手方向における一方側（たとえば右側）の部分を軸線Ｇの周りで１８０°回転させると、同一の図形が繰り返される（他の部位にぴったりと一致する）形状を有しており、一方で、軸線Ｇよりも長手方向における一方側（たとえば右側）の部分を軸線Ｇの周りで９０°回転させたとしても同一の図形が繰り返されない（他の部位に重ならない）形状を有している。
【００４７】
これらの構成は必須ではないが、基部１０の外形形状（たとえば８角形）と組み合わせて実施されることで、ソフト、ハードおよび中間といった洗浄効果（洗浄効果）の認識、選択および使用を、ユーザーが即座かつ容易に実施することを助けることが可能となる。基部１０の外形形状は８角形に限られず、４角形、６角形など、任意の多角形もしくは正多角形であってもよいし、角部が湾曲するように形成された略多角形もしくは略正多角形であってもよい。
【００４８】
［実施の形態２］
図１４〜図１９を参照して、実施の形態２における身体洗浄用ブラシについて説明する。実施の形態１，２は、身体洗浄用ブラシに備えられる軸部２１の構成が異なるという点で相違している。
【００４９】
図１４〜図１７はそれぞれ、実施の形態２の身体洗浄用ブラシ（毛部２０Ａ）に備えられる軸部２１を示す斜視図、正面図、側面図および平面図である。図１８は、図１７中のＸＶＩＩＩ−ＸＶＩＩＩ線に沿った矢視断面図であり、図１９は、図１５中のＸＩＸ−ＸＩＸ線に沿った矢視断面図である。
【００５０】
図１４〜図１８（特に図１７）に示すように、軸部２１の軸方向（軸線Ｇが延びる方向）に対して直交する面方向における軸部２１の断面形状は、楕円形状である。軸部２１の上記断面形状は全体として矢印Ａ２方向に長尺状に延びている。身体洗浄用ブラシの全体としては、複数の軸部２１の各々が、楕円形状を有する上記断面形状における長手方向が同一の方向（ここでは矢印Ａ２に示す方向）を指向して延びるように配置されている。複数の軸部２１の各々が、軸方向に対して直交する面方向の断面形状が軸方向の全域に亘って楕円形状となるように形成されている。
【００５１】
本実施の形態においても、矢印Ａ１方向（第１方向）に毛部２０Ａが撓むために必要な力と、矢印Ａ２方向（第１方向に対して直交する方向である第２方向）に毛部２０Ａが撓むために必要な力とは、互いに異なっており、具体的には、毛部２０Ａは矢印Ａ１方向には比較的撓みやすく、毛部２０Ａは矢印Ａ２方向には比較的撓みにくい。
【００５２】
言い換えれば（図１９参照）、複数のうちの１つの軸部２１の軸方向に対して直交する方向を第１基準方向（矢印Ａ１方向）と規定し、軸方向および第１基準方向（矢印Ａ１方向）の双方に対して直交する方向を第２基準方向（矢印Ａ２方向）とを規定したとすると、複数の軸部２１の各々は軸方向の全域に亘って、第１基準方向に平行な第１中立軸Ｇ１の周りに規定される第１断面係数と、第２基準方向に平行な第２中立軸Ｇ２の周りに規定される第２断面係数とが、互いに異なるように形成されており、具体的には第１断面係数が第２断面係数よりも大きい。以上のような実施の形態２の構成であっても、上述の実施の形態１と同様の作用および効果を得ることができる。実施の形態１では長円形状が採用され、実施の形態２では楕円形状が採用されているが、これらの他にも長方形状や、長手方向および短手方向を有する他の形状が採用されてもよい。
【００５３】
複数の軸部２１の各々は、軸方向における少なくとも根元側の３分の１の領域の範囲内に、第１基準方向（矢印Ａ１方向）に平行な第１中立軸Ｇ１（図１９）の周りに規定される第１断面係数と、第２基準方向（矢印Ａ２方向）に平行な第２中立軸Ｇ２（図１９）の周りに規定される第２断面係数とが、互いに異なるような部分が設けられるように構成されてもよい。すなわち、軸部２１の軸方向における表面１１ａからの高さをＨ（図１５）とすると、高さが０よりも大きくＨ／３以下となる領域内の少なくとも一部に、第１断面係数と第２断面係数とが互いに異なる部分が設けられる。以上のような構成であっても、上述と同様の作用および効果を得ることができる。
【００５４】
［実施の形態３］
図２０〜図２５を参照して、実施の形態３における身体洗浄用ブラシについて説明する。実施の形態１，３は、身体洗浄用ブラシに備えられる軸部２１の構成が異なるという点で相違している。
【００５５】
図２０〜図２３はそれぞれ、実施の形態３の身体洗浄用ブラシ（毛部２０Ｂ）に備えられる軸部２１を示す斜視図、正面図、側面図および平面図である。図２４は、図２３中のＸＸＩＶ−ＸＸＩＶ線に沿った矢視断面図であり、図２５は、図２１中のＸＸＶ−ＸＸＶ線に沿った矢視断面図である。
【００５６】
図２０〜図２４（特に図２３）に示すように、軸部２１の軸方向（軸線Ｇが延びる方向）に対して直交する面方向における軸部２１の断面形状は、長方形部と当該長方形部の長手方向における両方端部に連設された６角形状部とを含む形状である。軸部２１の上記断面形状は全体として矢印Ａ２方向に長尺状に延びている。身体洗浄用ブラシの全体としては、複数の軸部２１の各々が、上記のような形状を有する上記断面形状における長手方向が同一の方向（ここでは矢印Ａ２に示す方向）を指向して延びるように配置されている。複数の軸部２１の各々が、軸方向に対して直交する面方向の断面形状が軸方向の全域に亘って上記形状となるように形成されている。
【００５７】
本実施の形態においても、矢印Ａ１方向（第１方向）に毛部２０Ｂが撓むために必要な力と、矢印Ａ２方向（第１方向に対して直交する方向である第２方向）に毛部２０Ｂが撓むために必要な力とは、互いに異なっており、具体的には、毛部２０Ｂは矢印Ａ１方向には比較的撓みやすく、毛部２０Ｂは矢印Ａ２方向には比較的撓みにくい。
【００５８】
言い換えれば（図２５参照）、複数のうちの１つの軸部２１の軸方向に対して直交する方向を第１基準方向（矢印Ａ１方向）と規定し、軸方向および第１基準方向（矢印Ａ１方向）の双方に対して直交する方向を第２基準方向（矢印Ａ２方向）とを規定したとすると、複数の軸部２１の各々は軸方向の全域に亘って、第１基準方向に平行な第１中立軸Ｇ１の周りに規定される第１断面係数と、第２基準方向に平行な第２中立軸Ｇ２の周りに規定される第２断面係数とが、互いに異なるように形成されており、具体的には第１断面係数が第２断面係数よりも大きい。以上のような実施の形態３の構成であっても、上述の実施の形態１，２と同様の作用および効果を得ることができる。軸部２１の軸方向（軸線Ｇが延びる方向）に対して直交する面方向における軸部２１の断面形状は、長方形部と当該長方形部の長手方向における一方端部に連設された多角形状部とを含む形状であってもよい。
【００５９】
複数の軸部２１の各々は、軸方向における少なくとも根元側の３分の１の領域の範囲内に、第１基準方向（矢印Ａ１方向）に平行な第１中立軸Ｇ１（図２５）の周りに規定される第１断面係数と、第２基準方向（矢印Ａ２方向）に平行な第２中立軸Ｇ２（図２５）の周りに規定される第２断面係数とが、互いに異なるような部分が設けられるように構成されてもよい。すなわち、軸部２１の軸方向における表面１１ａからの高さをＨ（図２１）とすると、高さが０よりも大きくＨ／３以下となる領域内の少なくとも一部に、第１断面係数と第２断面係数とが互いに異なる部分が設けられる。以上のような構成であっても、上述と同様の作用および効果を得ることができる。
【００６０】
［実施の形態４］
図２６〜図３１を参照して、実施の形態４における身体洗浄用ブラシについて説明する。実施の形態１，４は、身体洗浄用ブラシに備えられる軸部２１の構成が異なるという点で相違している。
【００６１】
図２６〜図２９はそれぞれ、実施の形態４の身体洗浄用ブラシ（毛部２０Ｃ）に備えられる軸部２１を示す斜視図、正面図、側面図および平面図である。図３０は、図２９中のＸＸＸ−ＸＸＸ線に沿った矢視断面図であり、図３１は、図２７中のＸＸＸＩ−ＸＸＸＩ線に沿った矢視断面図である。
【００６２】
図２６〜図３０（特に図２９）に示すように、軸部２１の軸方向（軸線Ｇが延びる方向）に対して直交する面方向における軸部２１の断面形状は、長方形部と当該長方形部の長手方向における両方端部に連設された円形状部とを含む形状である。軸部２１の上記断面形状は全体として矢印Ａ２方向に長尺状に延びている。身体洗浄用ブラシの全体としては、複数の軸部２１の各々が、上記のような形状を有する上記断面形状における長手方向が同一の方向（ここでは矢印Ａ２に示す方向）を指向して延びるように配置されている。複数の軸部２１の各々が、軸方向に対して直交する面方向の断面形状が軸方向の全域に亘って上記形状となるように形成されている。
【００６３】
本実施の形態においても、矢印Ａ１方向（第１方向）に毛部２０Ｃが撓むために必要な力と、矢印Ａ２方向（第１方向に対して直交する方向である第２方向）に毛部２０Ｃが撓むために必要な力とは、互いに異なっており、具体的には、毛部２０Ｃは矢印Ａ１方向には比較的撓みやすく、毛部２０Ｃは矢印Ａ２方向には比較的撓みにくい。
【００６４】
言い換えれば（図３１参照）、複数のうちの１つの軸部２１の軸方向に対して直交する方向を第１基準方向（矢印Ａ１方向）と規定し、軸方向および第１基準方向（矢印Ａ１方向）の双方に対して直交する方向を第２基準方向（矢印Ａ２方向）とを規定したとすると、複数の軸部２１の各々は軸方向の全域に亘って、第１基準方向に平行な第１中立軸Ｇ１の周りに規定される第１断面係数と、第２基準方向に平行な第２中立軸Ｇ２の周りに規定される第２断面係数とが、互いに異なるように形成されており、具体的には第１断面係数が第２断面係数よりも大きい。以上のような実施の形態４の構成であっても、上述の実施の形態１〜３と同様の作用および効果を得ることができる。軸部２１の軸方向（軸線Ｇが延びる方向）に対して直交する面方向における軸部２１の断面形状は、長方形部と当該長方形部の長手方向における一方端部に連設された円形状部（正円形状部または楕円形状部など）とを含む形状であってもよい。
【００６５】
複数の軸部２１の各々は、軸方向における少なくとも根元側の３分の１の領域の範囲内に、第１基準方向（矢印Ａ１方向）に平行な第１中立軸Ｇ１（図３１）の周りに規定される第１断面係数と、第２基準方向（矢印Ａ２方向）に平行な第２中立軸Ｇ２（図３１）の周りに規定される第２断面係数とが、互いに異なるような部分が設けられるように構成されてもよい。すなわち、軸部２１の軸方向における表面１１ａからの高さをＨ（図２７）とすると、高さが０よりも大きくＨ／３以下となる領域内の少なくとも一部に、第１断面係数と第２断面係数とが互いに異なる部分が設けられる。以上のような構成であっても、上述と同様の作用および効果を得ることができる。
【００６６】
［実施の形態５］
図３２〜図３６を参照して、実施の形態５における身体洗浄用ブラシについて説明する。実施の形態１，５は、身体洗浄用ブラシに備えられる軸部２１の構成が異なるという点で相違している。図３２は、実施の形態５の身体洗浄用ブラシに備えられる毛部２０Ｄを示す断面図である。図３３〜図３６はそれぞれ、実施の形態５の身体洗浄用ブラシ（毛部２０Ｄ）に備えられる軸部２１を示す斜視図、正面図、側面図および平面図である。
【００６７】
図３２〜図３６に示すように、毛部２０Ｄの構成要素の１つである軸部２１においては、軸部２１の先端部２１ａに凹部２１ｇが形成されている。凹部２１ｇは、矢印Ａ２方向における先端部２１ａの丁度中央に形成されており、軸部２１の一方側の側面から他方側の側面に到達するように矢印Ａ１方向に沿って溝状に延びている。凹部２１ｇの存在は研磨部２２を軸部２１の先端部２１ａに接着させるのに役立つ。以上のような実施の形態５の構成であっても上述の実施の形態１〜４と同様の作用および効果を得ることができる。
【００６８】
［実施の形態６］
図３７〜図４１を参照して、実施の形態６における身体洗浄用ブラシについて説明する。実施の形態１，６は、身体洗浄用ブラシに備えられる軸部２１の構成が異なるという点で相違している。図３７〜図４０はそれぞれ、実施の形態６の身体洗浄用ブラシ（毛部２０Ｅ）に備えられる軸部２１を示す斜視図、正面図、側面図および平面図である。図４１は、図４０中のＸＬＩ−ＸＬＩ線に沿った矢視断面図である。
【００６９】
図３７〜図４１に示すように、毛部２０Ｅの構成要素の１つである軸部２１においては、軸部２１の先端部２１ａに凹部２１ｇが形成されている。凹部２１ｇは、軸部２１の先端部２１ａが環状に残存する形式で、先端部２１ａの丁度中央に凹設されている。凹部２１ｇの存在は研磨部２２を軸部２１の先端部２１ａに接着させるのに役立つ。以上のような実施の形態６の構成であっても上述の実施の形態１〜５と同様の作用および効果を得ることができる。
【００７０】
［実施の形態７］
図４２〜図４５を参照して、実施の形態７における身体洗浄用ブラシについて説明する。実施の形態１，７は、身体洗浄用ブラシに備えられる軸部２１の構成が異なるという点で相違している。図４２〜図４５はそれぞれ、実施の形態７の身体洗浄用ブラシ（毛部２０Ｆ）に備えられる軸部２１を示す斜視図、正面図、側面図および平面図である。
【００７１】
図４２〜図４５に示すように、毛部２０Ｆの構成要素の１つである軸部２１においては、軸部２１の先端部２１ａに凹部２１ｇが形成されている。凹部２１ｇは、軸部２１の一方側の側面（正面）から他方側の側面（背面）に到達するように矢印Ａ１方向に沿って溝状に延びている部分と、軸部２１の一方側の側面（左側面）から他方側の側面（右側面）に到達するように矢印Ａ２方向に沿って溝状に延びている部分とから構成される。凹部２１ｇの存在は研磨部２２を軸部２１の先端部２１ａに接着させるのに役立つ。以上のような実施の形態７の構成であっても上述の実施の形態１〜６と同様の作用および効果を得ることができる。
【００７２】
［実施の形態８］
図４６〜図４９を参照して、実施の形態８における身体洗浄用ブラシについて説明する。実施の形態１，８は、身体洗浄用ブラシに備えられる軸部２１の構成が異なるという点で相違している。図４６〜図４９はそれぞれ、実施の形態８の身体洗浄用ブラシ（毛部２０Ｇ）に備えられる軸部２１を示す斜視図、正面図、側面図および平面図である。
【００７３】
図４６〜図４９に示すように、毛部２０Ｇの構成要素の１つである軸部２１においては、軸部２１の先端部２１ａに一対の凹部２１ｇが形成されている。一方の凹部２１ｇは、軸部２１の一方側の側面（正面）側に所定深さで形成されており、他方の凹部２１ｇは、軸部２１の他方側の側面（背面）側に所定深さで形成されている。凹部２１ｇの存在は研磨部２２を軸部２１の先端部２１ａに接着させるのに役立つ。以上のような実施の形態８の構成であっても上述の実施の形態１〜７と同様の作用および効果を得ることができる。
【００７４】
［実施の形態９］
図５０〜図５５を参照して、実施の形態９における身体洗浄用ブラシについて説明する。実施の形態１，９は、身体洗浄用ブラシに備えられる軸部２１の構成が異なるという点で相違している。
【００７５】
図５０〜図５３はそれぞれ、実施の形態９の身体洗浄用ブラシ（毛部２０Ｈ）に備えられる軸部２１を示す斜視図、正面図、側面図および平面図である。図５４は、図５３中のＬＩＶ−ＬＩＶ線に沿った矢視断面図であり、図５５は、図５３中のＬＶ−ＬＶ線に沿った矢視断面図である。
【００７６】
上述の各実施の形態においては、軸部２１の軸方向に対して直交する断面形状を見た場合、軸部２１の断面形状の外縁は非正円形状（楕円形、長円形、長方形等）である。一方で本実施の形態においては、軸部２１の軸方向に対して直交する断面形状を見た場合、軸部２１の断面形状の外縁は正円形状である（図５３参照）。
【００７７】
図５０〜図５５に示すように、毛部２０Ｈの構成要素の１つである軸部２１においては、軸部２１の先端部２１ａに凹部２１ｇが形成されている。凹部２１ｇは、軸部２１の先端部２１ａが環状に残存する形式で、先端部２１ａの丁度中央に凹設されている。軸方向に対して平行な方向から凹部２１ｇを見た場合、凹部２１ｇは長円形の形状を呈しており、矢印Ａ２方向に沿って延びている。すなわち凹部２１ｇは矢印Ａ１方向に短手方向を規定し且つ矢印Ａ２方向に長手方向を規定するような凹形状を呈している。
【００７８】
矢印Ａ１方向（第１方向）に毛部２０Ｈが撓むために必要な力と、矢印Ａ２方向（第１方向に対して直交する方向である第２方向）に毛部２０Ｈが撓むために必要な力とは、互いに異なっており、具体的には、毛部２０Ｈは矢印Ａ１方向には比較的撓みやすく、毛部２０Ｈは矢印Ａ２方向には比較的撓みにくい。
【００７９】
言い換えれば、複数のうちの１つの軸部２１の軸方向に対して直交する方向を第１基準方向（矢印Ａ１方向）と規定し、軸方向および第１基準方向（矢印Ａ１方向）の双方に対して直交する方向を第２基準方向（矢印Ａ２方向）とを規定したとすると、複数の軸部２１の各々は凹部２１ｇが形成されている領域において、第１基準方向に平行な第１中立軸の周りに規定される第１断面係数と、第２基準方向に平行な第２中立軸の周りに規定される第２断面係数とが、互いに異なるように形成されており、具体的には第１断面係数が第２断面係数よりも大きい。以上のような実施の形態９の構成であっても上述の実施の形態１〜８と同様の作用および効果を得ることができる。
【００８０】
以上、実施の形態について説明したが、上記の開示内容はすべての点で例示であって制限的なものではない。本発明の技術的範囲は特許請求の範囲によって示され、特許請求の範囲と均等の意味および範囲内でのすべての変更が含まれることが意図される。
【符号の説明】
【００８１】
１  身体洗浄用ブラシ、１０  基部、１１  平板部、１１ａ  表面、１１ｂ  裏面、１２  外周リブ、１２ａ，１２ｂ，１２ｃ，１２ｄ，１２ｅ，１２ｆ，１２ｇ，１２ｈ  辺、１３，１４  中間リブ、１５  吸盤、１６  開口部、２０，２０Ａ，２０Ｂ，２０Ｃ，２０Ｄ，２０Ｅ，２０Ｆ，２０Ｇ，２０Ｈ  毛部、２１  軸部、２１ａ  先端部、２１ｂ  根元部、２１ｇ  凹部、２２  研磨部、Ａ１，Ａ２，Ｚ  矢印、Ｇ  軸線、Ｇ１  第１中立軸、Ｇ２  第２中立軸。
【図１】
2020039421.tif 000003
【図２】
2020039421.tif 000004
【図３】
2020039421.tif 000005
【図４】
2020039421.tif 000006
【図５】
2020039421.tif 000007
【図６】
2020039421.tif 000008
【図７】
2020039421.tif 000009
【図８】
2020039421.tif 000010
【図９】
2020039421.tif 000011
【図１０】
2020039421.tif 000012
【図１１】
2020039421.tif 000013
【図１２】
2020039421.tif 000014
【図１３】
2020039421.tif 000015
【図１４】
2020039421.tif 000016
【図１５】
2020039421.tif 000017
【図１６】
2020039421.tif 000018
【図１７】
2020039421.tif 000019
【図１８】
2020039421.tif 000020
【図１９】
2020039421.tif 000021
【図２０】
2020039421.tif 000022
【図２１】
2020039421.tif 000023
【図２２】
2020039421.tif 000024
【図２３】
2020039421.tif 000025
【図２４】
2020039421.tif 000026
【図２５】
2020039421.tif 000027
【図２６】
2020039421.tif 000028
【図２７】
2020039421.tif 000029
【図２８】
2020039421.tif 000030
【図２９】
2020039421.tif 000031
【図３０】
2020039421.tif 000032
【図３１】
2020039421.tif 000033
【図３２】
2020039421.tif 000034
【図３３】
2020039421.tif 000035
【図３４】
2020039421.tif 000036
【図３５】
2020039421.tif 000037
【図３６】
2020039421.tif 000038
【図３７】
2020039421.tif 000039
【図３８】
2020039421.tif 000040
【図３９】
2020039421.tif 000041
【図４０】
2020039421.tif 000042
【図４１】
2020039421.tif 000043
【図４２】
2020039421.tif 000044
【図４３】
2020039421.tif 000045
【図４４】
2020039421.tif 000046
【図４５】
2020039421.tif 000047
【図４６】
2020039421.tif 000048
【図４７】
2020039421.tif 000049
【図４８】
2020039421.tif 000050
【図４９】
2020039421.tif 000051
【図５０】
2020039421.tif 000052
【図５１】
2020039421.tif 000053
【図５２】
2020039421.tif 000054
【図５３】
2020039421.tif 000055
【図５４】
2020039421.tif 000056
【図５５】
2020039421.tif 000057